(57)【要約】【課題】操作部の機能が損なわれるのを回避しつつ、電力消費を低減できる燃焼器具を提供する。【解決手段】燃焼器具２の運転を指示する操作部（リモコン）３，４，５は、スイッチング電源６から動作用電源が供給され、そのスイッチング電源６の動作を制御する電源制御回路８を備える。燃焼器具２の運転停止状態において、電源制御回路８は、スイッチング電源６から操作部３，４，５への供給電圧を監視しつつ、その供給電圧が操作部３，４，５の表示器４２による時計表示等の表示機能に必要な電圧に保たれるようにスイッチング電源６の電圧生成動作を間欠的に行わせる。これにより、電力消費を低減する。【選択図】図１
2005024218.tif 000002
【特許請求の範囲】
【請求項１】
燃焼器具の動作用電源を生成するスイッチング電源と、該燃焼器具の運転制御を行なう制御装置に該燃焼器具の動作を指示する操作部とを備え、該操作部の動作用電源を前記スイッチング電源から供給する燃焼器具において、
少なくとも前記燃焼器具の運転停止状態で前記スイッチング電源から操作部への供給電圧を監視しつつ、その供給電圧を前記操作部の所定の機能動作に必要な所定電圧以上に保つように、該供給電圧に応じて前記スイッチング電源の電圧生成動作を間欠的に行わせる電源制御手段を備えたことを特徴とする燃焼器具。
【請求項２】
前記所定の機能動作は少なくとも前記操作部に備えた表示器の表示機能を含むことを特徴とする請求項１記載の燃焼器具。
【請求項３】
前記電源制御手段は、前記所定電圧よりも高い値に定めた所定の閾値電圧よりも前記供給電圧が高いときに、前記スイッチング電源の電圧生成動作を停止させ、該所定の閾値電圧よりも前記供給電圧が低いときに、前記スイッチング電源の電圧生成動作を行なわせることを特徴とする請求項１又は２記載の燃焼器具。
【請求項４】
前記操作部の特定の機能動作を行なうための回路は、該操作部に備えた定電圧発生回路の所定電圧の出力を電源として動作する回路であり、前記電源制御手段は、前記供給電圧を前記操作部の定電圧発生回路が前記所定電圧を出力可能な電圧以上の電圧に保つように、前記スイッチング電源の電圧生成動作を間欠的に行わせることを特徴とする請求項１〜３のいずれかに記載の燃焼器具。
【請求項５】
前記電源制御手段は、前記スイッチング電源が生成する電源電力により動作可能な電動機器を動作させることが必要になったときに、前記スイッチング電源の間欠的な電圧生成動作を解除して、該電圧生成動作を連続的に行なわせることを特徴とする請求項１〜４のいずれかに記載の燃焼器具。
【発明の詳細な説明】
【技術分野】
【０００１】
本発明は、給湯器、温風暖房機等、操作部を備えた燃焼器具に関する。
【背景技術】
【０００２】
給湯器、温風暖房機等の燃焼器具では、その燃焼器具の動作を指示する操作部（例えばリモコン）を備えたものが一般に知られている。そして、この種の燃焼器具では、スイッチング電源により、燃焼器具の動作用電源を生成し、それを燃焼器具の運転制御を行なう制御装置や、燃焼器具の各種電動機器（モータ、電磁弁等）、操作部に供給するものが知られている。なお、スイッチング電源は、それを簡単に説明すると、交流電源を整流回路で整流して得られる直流電圧からスイッチングトランジスタ等の半導体スイッチ素子を用いてパルス電圧を生成し、そのパルス電圧からスイッチングトランスおよびコンデンサを介して所望の電圧（ほぼ一定レベルの電圧）の直流電源電圧を生成するものである。
【０００３】
一方、給湯器などの燃焼器具の電力消費を低減するために、操作部の運転スイッチ（電源スイッチ）のＯＦＦ操作に連動させて、該操作部や制御装置への電源供給を遮断するようにしたものが例えば特開２０００−２４９３９６号公報（特許文献１）に提案されている。この特許文献１の技術によれば、燃焼器具の運転停止状態での電力消費を低減できる。
【０００４】
しかしながら、特許文献１の技術では、燃焼器具の運転停止状態では、操作部への電源供給は完全に停止してしまうため、操作部は、運転スイッチをＯＮにすること以外の全機能が使用できない状態になる。このため、操作部に一般的に備えられる表示器による時計の表示や、設定温度等の表示も行われなくなってしまい、利便性が損なわれていた。
【特許文献１】特開２０００−２４９３９６号公報
【発明の開示】
【発明が解決しようとする課題】
【０００５】
本発明はかかる背景に鑑みてなされたものであり、操作部の機能が損なわれるのを回避しつつ、電力消費を低減できる燃焼器具を提供することを目的とする。
【課題を解決するための手段】
【０００６】
まず、本発明を説明する前に、本発明の技術的背景について説明しておく。一般に、操作部を備える給湯器、温風暖房機等の燃焼器具の運転中は、操作部の全機能の動作を行い得る必要がある。このため、燃焼器具の運転中における操作部への供給電圧は、操作部の全機能の動作が可能な電圧にする必要がある。また、燃焼器具に備えたスイッチング電源が生成する動作用電源は、操作部にのみ使用されるのではなく、燃焼器具の運転制御を行う制御装置、あるいは、モータ、電磁弁等の電動機器の電源としても用いられる場合が多々ある。さらに、スイッチング電源から操作部までの距離が長い場合には、操作部に電力が供給される途中での電圧降下も生じる。このため、燃焼器具の運転中における操作部への供給電圧は、操作部の一部の機能のみの動作に必要な電源電圧よりも余裕をもって高めの電圧に設定されている。従って、燃焼器具の運転停止状態において操作部の一部の機能の動作のみを行なう上では、操作部への供給電圧は、燃焼器具の運転中よりも低い電圧で足りる。
【０００７】
そこで、本発明の燃焼器具の電源装置は、前記の目的を達成するために、燃焼器具の動作用電源を生成するスイッチング電源と、該燃焼器具の運転制御を行なう制御装置に該燃焼器具の動作を指示する操作部とを備え、該操作部の動作用電源を前記スイッチング電源から供給する燃焼器具において、少なくとも前記燃焼器具の運転停止状態で前記スイッチング電源から操作部への供給電圧を監視しつつ、その供給電圧を前記操作部の所定の機能動作に必要な所定電圧以上に保つように、該供給電圧に応じて前記スイッチング電源の電圧生成動作を間欠的に行わせる電源制御手段を備えたことを特徴とするものである。
【０００８】
かかる本発明によれば、燃焼器具の運転停止状態において、操作部への供給電圧に応じてスイッチング電源の電圧生成動作が間欠的に行われる。すなわち、スイッチング電源の電圧生成動作の実行と、その電圧生成動作の停止とが交互に繰り返される。この場合、スイッチング電源の電圧生成動作の停止中に操作部への供給電圧は低下するが、その供給電圧に応じてスイッチング電源の電圧生成動作を間欠的に行なうので、該供給電圧を操作部のある所定の機能動作に必要な所定電圧以上に保つことができる。このため、操作部の所定の機能動作を行い得る状態が確保される。そして、スイッチング電源の電圧生成動作の停止中は、スイッチング電源の電力を消費しない状態となるので、スイッチング電源の電圧生成動作を連続的に行う燃焼器具の運転中よりも、燃焼器具の電力消費が少なくて済む。
【０００９】
従って、本発明によれば、燃焼器具の運転停止状態において操作部の所定の機能動作を行い得る状態にして、操作部の機能が損なわれるのを回避しつつ、燃焼器具の電力消費を低減することができる。
【００１０】
かかる本発明では、前記所定の機能動作は少なくとも前記操作部に備えた表示器の表示機能を含むことが好ましい。これによれば、操作部における時計表示や、使用者による燃焼器具の運転上の設定パラメータの表示、その設定パラメータの変更等を行うことができる。なお、設定パラメータとしては、例えば給湯器における給湯温度の設定値、暖房装置における暖房温度の設定値、風呂装置における浴槽内湯温の設定値等が挙げられる。
【００１１】
また、本発明では、前記電源制御手段は、前記所定電圧よりも高い値に定めた所定の閾値電圧よりも前記供給電圧が高いときに、前記電圧生成動作の停止指令を前記スイッチング電源に出力し、該所定の閾値電圧よりも前記供給電圧が低いときに、前記電圧生成動作の実行指令を前記スイッチング電源に出力することが好ましい。すなわち、スイッチング電源に電圧生成動作の停止指令や実行指令を出力したとき、回路上の応答遅れ等によって、スイッチング電源による実際の電圧生成動作の停止や実行が開始されるタイミングが遅れる場合がある。従って、操作部への供給電圧が、操作部の所定の機能動作に必要な所定電圧よりも高い閾値電圧に対して高いか低いかによって、スイッチング電源に電圧生成動作の停止指令、実行指令を出力することによって、操作部への供給電圧が所定電圧よりも一時的に低下したりする事態を回避できる。
【００１２】
また、本発明では、前記操作部の所定の機能動作を行なうための回路は、該操作部に備えた定電圧発生回路の所定電圧の出力を電源として動作する回路であり、前記電源制御手段は、前記供給電圧を前記操作部の定電圧発生回路が前記所定電圧を出力可能な電圧以上の電圧に保つように、前記スイッチング電源の電圧生成動作を間欠的に行わせることが好ましい。
【００１３】
これによれば、操作部への供給電圧を操作部の定電圧発生回路が前記所定電圧を出力可能な電圧以上の電圧に保てば、操作部の回路定数のばらつき等によらずに操作部の所定の機能動作を確保できるので、スイッチング電源の電圧生成動作の停止、実行を判断するための供給電圧の閾値を必要最低限に抑えることができる。その結果、スイッチング電源の電圧生成動作の実行期間を必要最低限に留めることができ、燃焼器具の電力消費を効果的に抑制できる。
【００１４】
また、本発明では、前記電源制御手段は、前記スイッチング電源が生成する電源電力により動作可能な電動機器を動作させることが必要になったときに、前記スイッチング電源の間欠的な電圧生成動作を解除して、該電圧生成動作を連続的に行なわせることが好ましい。
【００１５】
これによれば、電動機器を動作させるまでは、燃焼器具の電力消費を低減できる。また、電動機器を動作させるときには、スイッチング電源の電圧生成動作を連続的に行なうので、該電動機器の動作に必要な電力をスイッチング電源から供給して、燃焼器具の運転を支障なく行うことができる。なお、電動機器を動作させることが必要になったか否かの判断は、操作部からの指示情報や燃焼器具に備えたセンサの出力等に基づいて行うことが可能である。
【発明を実施するための最良の形態】
【００１６】
以下、本発明の一実施形態を図１〜図５を参照して詳説する。図１は本実施形態の燃焼器具の全体的構成を示すブロック図である。同図示のように、本実施形態の燃焼器具は、給湯運転、風呂運転、暖房運転が可能な給湯暖房システムであり、本体回路ユニット１と、この本体回路ユニット１から動作用電源および制御指令を受けて動作する給湯暖房装置２と、複数（本実施形態では３個）の操作部としてのリモコン３，４，５とを備えている。本体回路ユニット１には、各リモコン３，４，５等の動作用電源を生成するスイッチング電源６と、給湯暖房システム全体の運転制御を行う制御装置７と、スイッチング電源６の動作制御を行なう電源制御手段としての電源制御回路８とを備えている。制御装置７は、マイクロコンピュータを含む電子回路で構成されたものであり、その動作用電源はスイッチング電源６から供給される。
【００１７】
なお、給湯暖房システムの給湯運転は、台所や浴室等の給湯栓（蛇口）に給湯する運転であり、風呂運転は浴槽の湯張り、追焚き、足し湯等を行う運転であり、暖房運転は部屋の暖房を行う運転である。
【００１８】
前記給湯暖房装置２の概略構成を図１を参照して説明すると、給湯暖房装置２は、台所や浴室等の給湯栓９および浴槽１０に給湯する給湯路１１と、浴槽１０の湯水を循環させる風呂循環路１２と、暖房や浴槽１０の湯水の沸き上げ等を行うための温水を循環させながら流通させる温水路１３とを具備している。給湯路１１は、ガスバーナ１４の燃焼熱により加熱される給湯用熱交換器１５を経由して設けられ、該給湯用熱交換器１５の下流側から、給湯栓９への給湯用の常用給湯路１１ａと浴槽１０への給湯用の風呂用給湯路１１ｂとに分流されている。そして、風呂用給湯路１１ｂは、風呂循環路１２に連接され、該風呂循環路１２を介して浴槽１０に給湯可能としている。また、風呂用給湯路１１ｂには、それを開閉する電磁弁１６が介装され、浴槽１０への給湯（湯はり）は、この電磁弁１６を開弁した状態で行われる。なお、ガスバーナ１４へのガス供給路１７には、ガス供給量を調整する比例弁１８と、ガス供給路１７を開閉する電磁弁１９とが介装されている。また、ガスバーナ１４への燃焼用空気を供給する燃焼ファン２０が備えられている。
【００１９】
風呂循環路１２は、後述する風呂用温水路２４の温水により加熱される液−液型の風呂用熱交換器２１を経由して設けられ、電動式の循環ポンプ２２が介装されている。
【００２０】
温水路１３は、主に暖房用の温水を循環させる暖房用温水路２３と、風呂用熱交換器２１に熱源としての温水を供給しつつ循環させる風呂用温水路２４とを備えている。これらの温水路２３，２４の一部は共用されている。暖房用温水路２３は、シスターン（タンク）２５内に貯蔵された湯水を、ガスバーナ２６の燃焼熱により加熱される暖房用熱交換器２７と、温水式暖房機としての温風暖房機２８とを順に経由させて循環させるように設けられ、その循環を行わせる電動式の循環ポンプ２９が介装されている。また、暖房用温水路２３における温風暖房機２８の上流箇所には、温風暖房機２８への温水の供給を遮断する電磁弁３０が介装されている。風呂用温水路２４は、前記シスターン２５の湯水を、前記暖房用熱交換器２７と風呂用熱交換器２１とを順に経由して循環させるように設けられている。より詳しくは、風呂用温水路２４は、暖房用熱交換器２７の出口側と前記電磁弁３０との間で、暖房用温水路２３から分流され、さらに、風呂用熱交換器２１を経由して前記シスターン２５に戻るように設けられている。そして、風呂用温水路２４の、暖房用温水路２３からの分流箇所と風呂用熱交換器２１との間の箇所には、風呂用温水路２４を開閉する電磁弁３１が設けられている。なお、温風暖房機２８には、送風用の送風ファン２８ａが内蔵されている。また、ガスバーナ２６へのガス供給路３２には、ガス供給量を調整する比例弁３３と、ガス供給路３２を開閉する電磁弁３４とが介装されている。さらに、ガスバーナ２６への燃焼用空気を供給する燃焼ファン３５が備えられている。
【００２１】
なお、給湯暖房装置２には、湯温センサ等の各種センサが備えられ、それらの検出信号が制御装置７に入力されるようになっている。
【００２２】
リモコン３，４，５は、それぞれ、制御装置７との通信を行うと共にスイッチング電源６から電源電圧を受けるために接続ケーブル４０を介して本体回路ユニット１に接続されている。なお、本実施形態では、制御装置７と各リモコン３，４，５との間の通信データは、各リモコン３，４，５にスイッチング電源６から供給する電源電圧に重畳するようにしており、各接続ケーブル４０は、電源供給線により構成されている。これらのリモコン３〜５のうち、リモコン３は主に給湯運転に係わる操作を行うためのものであり、例えば台所に設置されるものである。また、リモコン４は主に風呂運転に係わる操作を行うためのものであり、浴室に設置される。また、リモコン５は、主に暖房運転に係わる操作を行うためのものであり、例えば暖房を行う部屋に設置される。以下の説明では、リモコン３，４，５をそれぞれ給湯リモコン３、風呂リモコン４、暖房リモコン５と称する。
【００２３】
各リモコン３〜５には、それぞれ、運転スイッチ４１（ＯＮ／ＯＦＦスイッチ）、表示器４２、および複数の操作スイッチ４３が備えられている。この場合、給湯リモコン３および風呂リモコン４のそれぞれの運転スイッチ４１は、そのＯＮ操作によって給湯暖房システムを給湯運転および風呂運転が実行可能な状態（待機状態）とし、ＯＦＦ操作によって、給湯運転および風呂運転を停止させる（給湯運転および風呂運転を実行不能とする）スイッチである。また、給湯リモコン３および風呂リモコン４のそれぞれの表示器４２は、給湯運転および風呂運転に係わる種々の情報等を表示するものであり、例えば給湯運転時の給湯温度の設定値、風呂運転時の浴槽湯温の設定値、浴槽湯量の設定値、時刻（現在時刻、運転予約時刻）、給湯運転および風呂運転の運転状態等を表示する。また、給湯リモコン３および風呂リモコン４のそれぞれの操作スイッチ４３は、給湯運転および風呂運転に係わる給湯暖房システムの動作の指示等を行うためのスイッチであり、給湯リモコン３の操作スイッチ４３の操作によって、例えば、上記給湯温度の設定値の入力、自動風呂運転（浴槽１０の湯はり、沸き上げを自動的に行う運転）の指示、表示器４２の表示内容の切換え、時刻設定等が行われる。そして、風呂リモコン４においては、その操作スイッチ４３の操作によって、浴槽湯温の設定値の入力、風呂運転における運転モード（自動風呂運転、湯はり運転、追焚き運転、足し湯運転等）の指示、表示器４２の表示内容の切換え、時刻設定等が行われる。
【００２４】
なお、本実施形態では、給湯リモコン３によって、風呂運転の一部の運転（自動風呂運転）を指示できるようにしたが、給湯リモコン３では、給湯運転に関する操作のみを行えるようにし、風呂リモコン４では風呂運転に関する操作のみを行えるようにしてもよい。このことは、表示器４２の表示についても同様である。
【００２５】
暖房リモコン５の運転スイッチ４１は、そのＯＮ操作によって給湯暖房システムに暖房運転を実行させ、ＯＦＦ操作によって、暖房運転を停止させるスイッチである。また、暖房リモコン５の表示器４２は、暖房運転に係わる種々の情報等を表示するものであり、例えば暖房運転時の室温の設定値、時刻（現在時刻、運転予約時刻）、暖房運転の運転状態等を表示する。また、暖房リモコン５の操作スイッチ４３は、暖房運転に係わる給湯暖房システムの動作の指示等を行うためのスイッチであり、該操作スイッチ４３の操作によって、例えば、上記室温の設定値の入力、表示器４２の表示内容の切換え、時刻設定等が行われる。
【００２６】
これらの各リモコン３〜５には、図２のブロック図で示すように、マイクロコンピュータ４４（以下、マイコン４４という）と、本体回路ユニット１の制御装置７との間で通信を行なうための通信回路４５とを内蔵している。そして、マイコン４４は、運転スイッチ４１および操作スイッチ４３の操作情報あるいは制御装置７から通信回路４５を介して受信した通信データに応じて表示器４２の表示内容を制御すると共に、運転スイッチ４１および操作スイッチ４３の操作に基づく、給湯暖房システムの動作の指令および設定値のデータを通信回路４５を介して接続ケーブル４０に送出する。また、各リモコン３〜５には、前記スイッチング電源６から接続ケーブル４０を介して電源電圧が入力される定電圧発生回路（定電圧レギュレータ）４６を内蔵しており、マイコン４４がその制御処理を実行するための電源電圧（例えば５Ｖ）は該定電圧発生回路４６から与えられる。なお、本実施形態では、前記したようにスイッチング電源６から各リモコン３〜５に供給する電源電圧に、制御装置７との通信データを重畳するようにしているので、通信回路４５は、各リモコン３〜５から制御装置７への通信時には、その通信データを電源電圧に重畳して接続ケーブル４０（電源供給線）に送出し、制御装置７から各リモコン３〜５への通信時には、その通信データを電源電圧から抽出してマイコン４４に受け渡す。
【００２７】
ここで、上記構成を備えた給湯暖房システムの動作の概要を図１を参照して説明しておく。給湯暖房装置２による給湯運転は、次のように行われる。例えば、給湯栓９を開いて給湯路１１の通水を開始すると、それが図示しない通水センサにより検知され、それに応じて制御装置７がガスバーナ１４の燃焼運転を開始させる。この燃焼運転の開始は、前記電磁弁１９を開弁させるとともに、燃焼ファン２０の運転を開始し、その状態で図示しない点火器を作動させてガスバーナ１４に点火することで行われる。そして、ガスバーナ１４の燃焼量は、実際の給湯温度（図示しない温度センサによる検出温度）が給湯リモコン３による給湯温度の設定値になるように比例弁１８を介して調整される。なお、給湯路１１の通水を停止すると、ガスバーナ１４の燃焼運転は停止される。
【００２８】
また、風呂運転に関しては、例えば風呂リモコン４の操作スイッチ４３の操作により、湯はり運転を指示すると、それに応じて制御装置７が上記給湯運転と同様にガスバーナ１４の燃焼運転を開始させると共に、風呂用給湯路１１ｂの電磁弁１６を開弁させる。これにより、浴槽１０への給湯（湯はり）が行われる。このときのガスバーナ１４の燃焼量は、上記給湯運転と同様に浴槽１０への実際の給湯温度（図示しない温度センサによる検出温度）が給湯リモコン３又は風呂リモコン４による浴槽湯温の設定値になるように比例弁１８を介して調整される。なお、浴槽１０への給湯（湯はり）は浴槽１０の実際の湯量（図示しないセンサによる検出値、あるいは算出値）が風呂リモコン４による浴槽湯量の設定値に達したときに停止される。また、風呂リモコン４の操作スイッチ４３の操作により、例えば足し湯運転が指示された場合も、上記した湯はり運転と同様に、浴槽１０への足し湯が行われる。
【００２９】
また、風呂リモコン４の操作スイッチ４３の操作により、例えば追焚き運転が指示された場合には、それに応じて制御装置７がガスバーナ２６の燃焼運転を開始させると共に、前記循環ポンプ２２，２９を動作させ、さらに、電磁弁３１を開弁させる。これにより、シスターン２５の湯水が暖房用熱交換器２７を介して加熱されつつ、風呂用温水路２４を通って循環すると同時に、浴槽１０の湯水が、風呂循環路１２を通って循環しつつ、風呂用熱交換器２１にて風呂用温水路２４を通る湯との熱交換によって加熱される。この場合、ガスバーナ２６の燃焼運転は、前記給湯運転等におけるガスバーナ１４の燃焼運転の開始と同様に、ガス供給路３２の電磁弁３４の開弁、燃焼ファン３５の動作、および点火によって開始される。そして、燃焼開始後のガスバーナ２６の燃焼量は、風呂用温水路２４を流れる湯の実際の温度（図示しない温度センサによる検出温度）が所定の温度（例えば８０℃）に維持されるように比例弁３３を介して調整される。なお、浴槽１０の湯水の加熱（追焚き）は、実際の浴槽湯温（図示しない温度センサによる検出温度）が風呂リモコン４による浴槽湯温の設定値にほぼ一致するようになった時点で停止される。
【００３０】
なお、上述した給湯運転および風呂運転は、給湯リモコン３又は風呂リモコン４の運転スイッチをＯＮ操作した状態で行われる。
【００３１】
また、暖房運転に関しては、暖房リモコン５の運転スイッチ４１をＯＮ操作すると、それに応じて制御装置７が、ガスバーナ２６の燃焼運転を開始させると共に、前記循環ポンプ２９を動作させ、さらに、電磁弁３０を開弁させると共に、温風暖房機２８の送風ファン２８ａを動作させる。これにより、シスターン２５の湯水が暖房用熱交換器２７を介して加熱されつつ、暖房用温水路２３を通って循環する。そして、温風暖房機２８で、その温水熱により加熱された空気が送風ファン２８ａの動作により室内に送風される。この場合、ガスバーナ２６の燃焼量は、前記した風呂運転の追焚き運転と同様に、暖房用温水路２３を流れる実際の湯温度（図示しない温度センサによる検出温度）が所定温度（８０℃）に維持されるように比例弁３３を介して調整される。また、送風ファン２８ａの風量は、暖房リモコン５による室内温度の設定値（本実施形態では、高、中、低の３段階）に応じて調整される。なお、暖房運転は、暖房リモコン５の運転スイッチ４１をＯＦＦ操作することで停止される。
【００３２】
前記スイッチング電源６および電源制御回路８を図３および図４を参照して説明する。図３はスイッチング電源６と電源制御回路８とを併せた回路構成を示しており、図４は電源制御回路８の要部の回路構成を示している。
【００３３】
まず、図３を参照してスイッチング電源６を説明すると、該スイッチング電源６は、本実施形態では、交流電源５０（１００Ｖ）から３種類の電圧レベルの直流電源電圧Ｖ１，Ｖ２，Ｖ３を基本電源電圧として生成するようにしており、それぞれの直流電源電圧Ｖ１，Ｖ２，Ｖ３を電源供給ライン５１，５２，５３から供給可能としている。Ｖ１，Ｖ２，Ｖ３は、それぞれ例えば１２Ｖ、２４Ｖ、５０Ｖである。ここで、本実施形態では、直流電源電圧Ｖ１（１２V)は、給湯リモコン３，４、制御装置７、並びに給湯暖房装置２の図示しない各種センサの標準電源と使用する電源電圧であり、直流電源電圧Ｖ２（２４Ｖ）は、暖房リモコン５の標準電源として使用する電源電圧であり、直流電源電圧Ｖ３（５０Ｖ）は、ガスバーナ１４，２６に係わる燃焼ファン２０，３５、比例弁１８，３３および電磁弁１９，３４の標準電源として使用する電源電圧である。なお、前記循環ポンプ２２，２９並びに電磁弁１６，３０，３１の電源電圧は、交流電源５０から、スイッチング電源６とは別の電源回路（図示しない）を介して供給される。但し、それらの電源電圧をスイッチング電源６から供給するようにしてもよい。また、温風暖房機２８の送風ファン２８ａの電源電圧は、温風暖房機２８に備えた電源から供給される。また、本実施形態では、暖房リモコン５の標準電源として、給湯リモコン３及び風呂リモコン４と異なる直流電源電圧Ｖ２（２４Ｖ）を使用しているが、これは、スイッチング電源６から暖房リモコン５までの距離が長くなった場合における電源電圧の電圧降下の影響（通信不良の発生など）を補償したり、本実施形態の給湯暖房システムに専用的でない暖房リモコンを使用する場合に対応するためである。従って、スイッチング電源６から暖房リモコン５までの距離が、給湯リモコン３や風呂リモコン４と同程度である場合には、暖房リモコン５の標準電源として、給湯リモコン３および風呂リモコン４と同じ直流電源電圧Ｖ１（１２Ｖ）を用いるようにしてもよい。
【００３４】
スイッチング電源６の具体的な回路構成を説明すると、該スイッチング電源６は、交流電源５０の交流電圧を整流回路５１ａとコンデンサ５１ｂとにより整流してなる電圧をスイッチングトランス５２の一次コイル５２ａとスイッチングトランジスタ５３との直列回路に付与するようにしている。スイッチングトランジスタ５３のベースとエミッタとの間には、コンデンサ５４と抵抗５５とスイッチングトランス５２との電磁誘導が可能なように設けられた補助コイル５６とを直列接続してなる発振回路５７が接続されており、この発振回路５７の発振電圧がスイッチングトランジスタ５３のベースに付与されることで、スイッチングトランジスタ５３が所定周期でＯＮ／ＯＦＦし、スイッチングトランス５２の一次コイル５２ａにパルス電圧が付与されるようになっている。なお、参照符号７６を付したフォトトランジスタは電源制御回路８に係わるものであり、これについては後述する。
【００３５】
また、スイッチングトランス５２の二次側には、前記各直流電源電圧Ｖ１〜Ｖ３にそれぞれ対応する誘起電圧を発生する３つの二次コイル５２ｂ，５２ｃ，５２ｄが設けられている。そして、スイッチング電源６は、各二次コイル５２ｂ，５２ｃ，５２ｄに発生する誘起電圧を、それぞれダイオード５８およびコンデンサ５９からなる平滑回路６０，６１，６２により平滑化することで、各平滑回路６０〜６２のダイオード５８およびコンデンサ５９の間の中点に導通する電源ライン６３，６４，６５にそれぞれほぼ一定レベルの直流電源電圧Ｖ１〜Ｖ３を生成するようにしている。なお、各電源ライン６３〜６５にそれぞれ生成される直流電源電圧Ｖ１〜Ｖ３は、スイッチングトランジスタ５３のＯＮ／ＯＦＦを連続的に行っている状態での電圧である。
【００３６】
電源制御回路８は、図３および図４に示す如く、電源ライン６３から給湯リモコン３および風呂リモコン４に実際に供給される電源電圧と、電源ライン６４から暖房リモコン５に実際に供給される電源電圧とを監視する電圧監視回路６６と、この電圧監視回路６６の出力を受けてスイッチング電源６の電圧生成動作を実行させたり、停止させる制御回路６７とから構成されている。
【００３７】
電圧監視回路６６は、図４に示す如く、電源ライン６３，６４のそれぞれの実際の電圧と、所定の閾値電圧とをそれぞれ比較する比較回路６８，６９と、これらの比較回路６８，６９の出力が入力されるOR回路７０と、このOR回路７０の出力および前記制御装置７のマイクロコンピュータ７１（以下、マイコン７１という）の制御出力が入力されるAND回路７２とから構成されている。この場合、比較回路６８は、電源ライン６３の電圧が閾値電圧よりも高いときに、低レベル（Lレベル）の出力を発生し、電源ライン６３の電圧が閾値電圧以下であるときに、高レベル（Ｈレベル）の出力を発生する。同様に、比較回路６９は、電源ライン６４の電圧が閾値電圧よりも高いときに、低レベル（Ｌレベル）の出力を発生し、電源ライン６４の電圧が閾値電圧以下であるときに、高レベル（Ｈレベル）の出力を発生する。従って、電圧監視回路６６の出力であるAND回路７２の出力は、マイコン７１からAND回路７２に高レベルの制御出力が与えられた状態で、電源ライン６３，６４の両者の電圧が閾値電圧よりも高いときに、低レベルの出力となり、電源ライン６３，６４のいずれか一方の電圧が閾値電圧以下になると、高レベルの出力となる。この場合、電圧監視回路６６の出力（AND回路７２の出力）が高レベルであることはスイッチング電源６の電圧生成動作を停止することを意味し、低レベルであることはスイッチング電源６の電圧生成動作を実行させることを意味する。なお、マイコン７１からAND回路７２への制御出力が低レベルであるときには、電源ライン６３，６４の電圧によらずに、電圧監視回路６６の出力は低レベルになる。また、上記閾値電圧は、電源ライン６３の電圧から図示しない定電圧発生回路を介して生成される。また、制御装置７のマイコン７１の電源電圧（５Ｖ）は、電源ライン６３の電源電圧から定電圧発生回路７１ａを介して生成される。
【００３８】
ここで、前記閾値電圧は、各リモコン３〜５のマイコン４４の演算処理動作、並びに、表示器４２の表示動作に必要な電圧（５Ｖ)よりも高く、且つ、電源ライン６３，６４にスイッチング電源６がその連続的な動作により生成する直流電源電圧Ｖ１（１２Ｖ）、Ｖ２（２４Ｖ）よりも低い電圧に設定され、例えば１０Ｖに設定されている。なお、この閾値電圧は、各リモコン３〜５の定電圧発生回路４６と制御装置７のマイコン７１に電源を供給する定電圧発生回路７１ａとが、それぞれマイコン４４，７１の動作用電圧（５Ｖ）を確実に発生できる電圧よりも若干高い電圧に設定されている。
【００３９】
制御回路６７は、図３に示す如く、電源ライン６３に接続された、フォトダイオード７３、抵抗７４およびスイッチングトランジスタ７５の直列回路と、スイッチング電源６の一次側で、スイッチングトランジスタ５３のエミッタ・ベース間に、前記発振回路５７と並列に接続されたフォトトランジスタ７６とから構成されている。フォトトランジスタ７６とフォトダイオード７３とは併せてフォトカプラーを構成するものであり、フォトダイオード７３の通電・発光によって、フォトトランジスタ７６のエミッタ・コレクタ間が導通するようになっている。そして、フォトダイオード７３側のスイッチングトランジスタ７５のベースに電圧監視回路６６の出力が入力されるようになっている。従って、電圧監視回路６６の出力が高レベルであるとき、スイッチングトランジスタ７５がＯＮ状態となって、フォトダイオード７３が電源ライン６３から通電されて発光する。このとき、フォトトランジスタ７６が導通状態（ＯＮ状態）となるため、スイッチング電源６のスイッチングトランジスタ５３はＯＦＦ状態となって、スイッチングトランス５２の一次コイル５２ａに電圧が付与されず、該スイッチングトランス５２の二次側には、電圧が生成されないこととなる。その結果、スイッチング電源６の電圧生成動作が停止することとなる。また、電圧監視回路６６の出力が低レベルであるとき、スイッチングトランジスタ７５がＯＦＦ状態となって、フォトダイオード７３は発光停止状態となる。このとき、フォトトランジスタ７６は、ＯＦＦ状態となるため、スイッチング電源６のスイッチングトランジスタ５３が前述の通り発振回路５７の出力により周期的にＯＮ／ＯＦＦし、これにより、前述の通りスイッチング電源６は、各電源ライン６３〜６５に直流電源電圧Ｖ１〜Ｖ３を生成する。
【００４０】
次に、各リモコン３〜５への電源供給に係わる本実施形態の作動を説明する。いずれかのリモコン３〜５の運転スイッチ４１が継続的にＯＮ操作されている状態では、制御装置８のマイコン７１は前記電圧監視回路６６のAND回路７２に低レベルの制御出力を与える。このときAND回路７２の出力は継続的に低レベルとなっている。このため、前述したように、スイッチング電源６は、連続的に電源生成動作を実行している。従って、電源ライン６３〜６５にはそれぞれ前記直流電源電圧Ｖ１〜Ｖ３が継続的に生成されている。そして、直流電源電圧Ｖ１（１２Ｖ）は、給湯リモコン３および風呂リモコン４、制御装置７、並びに給湯暖房装置２の図示しない各種センサにそれらの動作用電源として連続的に供給され、直流電源電圧Ｖ２（２４Ｖ）は、暖房リモコン５にその動作用電源として連続的に供給される。さらに、直流電源電圧Ｖ３（５０Ｖ）は、ガスバーナ１４，２６に係わる燃焼ファン２０，３５、比例弁１８，３３および電磁弁１９，３４に、それらの作動時の動作用電源として適宜供給される。なお、燃焼ファン２０，３５、比例弁１８，３３、電磁弁１９，３４は、本発明における電動機器に相当するものであり、これらの作動時には、スイッチング電源６の負荷電流が多くなるため、直流電源電圧Ｖ１〜Ｖ３は多少低下することがある。そのため、直流電源電圧Ｖ１〜Ｖ３は、各リモコン３〜５および上記電動機器を常に確実に動作させ得るように余裕をもたせた電圧値となっている。
【００４１】
次に、全てのリモコン３〜５の運転スイッチ４１をＯＦＦ操作すると、給湯暖房システムは、運転停止状態となり、この状態では、電力消費を低減する省電力モードの処理が以下のように行われる。この省電力モードでは、制御装置７のマイコン７１は、前記電圧監視回路６６のAND回路７２に高レベルの制御出力を連続的に与える。この時、給湯暖房システムの運転停止直後は、前記電源ライン６３，６４の電圧はいずれも前記閾値電圧よりも高いので、前述の通り、電圧監視回路６６の出力が低レベルとなり、ひいては、スイッチング電源６の電圧生成動作が停止する（スイッチング電源６がＯＦＦになる）。このため、例えば電源ライン６３の電圧は、図５に例示する如く直流電源電圧Ｖ１から徐々に低下していく。そして、電源ライン６３の電圧が前記閾値電圧まで低下すると、電圧監視回路６６の出力が高レベルに転じるので、前述の通り、前記制御回路６７のフォトダイオード７３およびフォトトランジスタ７６の協働作動によってスイッチング電源６の電圧生成動作が再開する（スイッチング電源６がＯＮになる）。但し、フォトダイオード７３およびフォトトランジスタ７６の動作の遅れが多少あるので、電源ライン６３の電圧が閾値電圧まで低下した時点から多少遅れてスイッチング電源６の電圧生成動作が開始される。このため、電源ライン６３の電圧は閾値電圧よりも若干低い電圧まで低下する。なお、給湯暖房システムの運転停止後、電源ライン６４，６５の電圧も上記と同様に低下していくが、本実施形態では、電源ライン６４，６５の電圧は、電源ライン６３よりも高いため、基本的には、電源ライン６３の電圧が電源ライン６４，６５の電圧よりも早期に閾値電圧まで低下して、スイッチング電源６の電圧生成動作が開始される。
【００４２】
上記のようにスイッチング電源６の電圧生成動作が再開されると、電源ライン６３，６４の電圧は、それぞれ前記直流電源電圧Ｖ１，Ｖ２に向かって立ち上がり、再び、それらの両者の電圧が閾値電圧を越える状態になる。この場合、電源ライン６３，６４の両者の電圧が閾値電圧よりも高い状態となった時点（基本的には電源ライン６３の電圧が閾値電圧よりも高い状態になった時点）で、電圧監視回路６６の出力が再び低レベルとなり、ひいては、スイッチング電源６の電圧生成動作が停止する。なお、この場合も、フォトダイオード７３およびフォトトランジスタ７６の動作の遅れが多少あるので、図５に例示する如く、電源ライン６３の電圧が閾値電圧よりも高い状態になった時点（この時点では電源ライン６４の電圧は閾値電圧よりも高いものとする）から多少遅れて、スイッチング電源６の電圧生成動作が停止する。以降、上記したスイッチング電源６の電圧生成動作の停止、実行が繰り返される。すなわち、スイッチング電源６の電圧生成動作が間欠的に行なわれることとなる。その結果、電源ライン６３の電圧は、図７に示す如く、ほぼ閾値電圧の近傍で上下しながら、該閾値電圧付近の電圧に維持されることとなる。なお、電源ライン６４の電圧は、基本的には閾値電圧よりも高い電圧（但し、直流電源電圧Ｖ２（２４Ｖ）よりは低い電圧）に維持されることとなる。
【００４３】
この場合、電源ライン６３，６４の電圧は、給湯暖房システムの運転中における各リモコン３〜５の標準電源電圧としての直流電源電圧Ｖ１又はＶ２よりも低いものの、マイコン４４および表示器４２の動作を支障なく行い得る電圧である。このため、各リモコン３〜５においては、表示器４２による時刻表示や、表示器４２の表示を行いつつ、給湯温度、浴槽湯温、室温の設定値の確認あるいはその設定値の入力を支障なく行うことができる。同時に、上記のようにスイッチング電源６の電圧生成動作が間欠的に行われることで、スイッチング電源６の電圧生成動作を連続的に行う給湯暖房システムの運転時よりもスイッチング電源６における電力消費を節減することができる。
【００４４】
従って、給湯暖房システムの運転停止中に、電力消費を低減しながら、各リモコン３〜５の表示器４２の表示や、設定値の入力等を支障なく行うことができ、利便性を高めることができる。
【００４５】
次に、スイッチング電源６の間欠的な電圧生成動作の解除について説明する。本実施形態では、スイッチング電源６の間欠的な電圧生成動作の解除は、前記燃焼ファン２０，３５、比例弁１８，３３、電磁弁１９，３４などの電動機器にスイッチング電源６から電源を供給することが必要になった時に行う。
【００４６】
具体的には、上記のように給湯暖房システムの運転停止状態から、例えば給湯運転を行うために給湯リモコン３の運転スイッチ４１をＯＮ操作したときには、その時点では、まだ、スイッチング電源６の間欠的な電圧生成動作は継続する。但し、ここでは、風呂運転、暖房運転も未だ行われていないものとする。そして、前記給湯栓９を開いて給湯路１１の通水を開始し、それが図示しない通水センサを介して制御装置７が検知すると、それに応じて、該制御装置７のマイコン７１が前記電圧監視回路６６のAND回路７２への制御出力を高レベルから低レベルに切換える。これにより、スイッチング電源６は連続的に電圧生成動作を実行するようになる。そして、この連続的な電圧生成動作によって、各リモコン３〜５はもちろん、給湯運転に必要な燃焼ファン２０、電磁弁１９および比例弁１８等の電子機器に、その動作に必要な電源電圧を支障なくスイッチング電源６から供給することができる。
【００４７】
また、給湯暖房システムの運転停止状態から、給湯リモコン３又は風呂リモコン４の運転スイッチ４１をＯＮ操作した後、例えば浴槽２の湯張りを行うために、給湯リモコン３又は風呂リモコン４の操作スイッチ４３の操作によって、風呂運転に係る湯張り運転を指示すると、それに応じて、上記給湯運転の開始の場合と同様の制御装置７のマイコン７１の処理によってスイッチング電源６の間欠的な電源生成動作（省電力モードの動作）が解除され、スイッチング電源６の連続的な電源生成動作が行なわれる。これにより、各リモコン３〜５はもちろん、湯はり運転に必要な（湯はり運転時のガスバーナ１４の燃焼運転に必要な）燃焼ファン２０、電磁弁１９および比例弁１８等の電動機器に、その動作に必要な電源電圧を支障なくスイッチング電源６から供給することができる。なお、この場合、給湯リモコン３又は風呂リモコン４の運転スイッチ４１をＯＮ操作した時点では、未だ、スイッチング電源６の間欠的な電圧生成動作は継続する。
【００４８】
また、給湯暖房システムの運転停止状態から、暖房運転を行う場合には、暖房リモコン５の運転スイッチ４１のＯＮ操作される。そして、このＯＮ操作に応じて、上記給湯運転の開始の場合と同様の制御装置７のマイコン７１の処理によってスイッチング電源６の間欠的な電源生成動作（省電力モードの動作）が解除され、スイッチング電源６の連続的な電源生成動作が行なわれる。これにより、各リモコン３〜５はもちろん、暖房運転に必要なガスバーナ２６に係わる燃焼ファン３５、電磁弁３４、比例弁３３等の電動機器に、その動作に必要な電源電圧を支障なくスイッチング電源６から供給することができる。
【００４９】
以上のように、本実施形態では、前記燃焼ファン２０，３５、比例弁１８，３３、電磁弁１９，３４などの電動機器にスイッチング電源６から電源を供給することが必要になった時にスイッチング電源６の間欠的な電源生成動作を解除する。特に、給湯運転および風呂運転に関しては、給湯リモコン３又は風呂リモコン４の運転スイッチ４１をＯＮ操作した時点では、まだ、スイッチング電源６の間欠的な電源生成動作を継続し、給湯運転又は風呂運転のための電動機器の実際の動作が必要になった時点で、その間欠的な電源生成動作を解除する。このため、スイッチング電源６の間欠的な電源生成動作を行う時間をできるだけ長くして、電力消費の節減効果を高めることができる。
【００５０】
なお、以上説明した実施形態では、給湯リモコン３又は風呂リモコン４の運転スイッチ４１をＯＮ操作した時点では、スイッチング電源６の間欠的な電源生成動作を継続するようにしたが、いずれかのリモコン３〜５の運転スイッチ４１がＯＮ操作された時点で、スイッチング電源６の間欠的な電源生成動作を解除するようにしてもよい。このようにした場合には、スイッチング電源６の間欠的な電源生成動作を解除するための制御処理が簡単になる。
【００５１】
また、以上説明した実施形態では、給湯暖房システムについて説明したが、暖房機能を備えない給湯器や、冷暖房システム等の燃焼器具についても本発明を適用できることはもちろんである。
【図面の簡単な説明】
【００５２】
【図１】本発明の燃焼器具の一実施形態である給湯暖房システムの全体構成を示す図。
【図２】図１の給湯暖房システムに備えたリモコンの回路構成を示すブロック図。
【図３】図１の給湯暖房システムに備えたスイッチング電源および電源制御回路の構成を示す回路図。
【図４】図３の電源制御回路の電圧監視回路の回路構成を示す回路図。
【図５】図３のスイッチング電源の動作を説明するためのグラフ。
【符号の説明】
【００５３】
２…給湯暖房装置（燃焼器具）、３，４，５…リモコン（操作部）、６…スイッチング電源、７…制御装置、８…電源制御回路（電源制御手段）、４２…リモコンの表示器、１８，１９，２０，３３，３４，３５…電動機器。
【図１】
2005024218.tif 000003
【図２】
2005024218.tif 000004
【図３】
2005024218.tif 000005
【図４】
2005024218.tif 000006
【図５】
2005024218.tif 000007